(57)【要約】【課題】バウンス機能を使用して人物撮影をする際に、人物の顔の表情のよい写真撮影を行えるストロボ装置および撮像装置を提供する。  【解決手段】撮影方向とは異なる方向に照射できる主発光部３５０を有するストロボ装置３００と、前記ストロボ装置が装着された撮像装置１００からなるカメラシステムであって、前記主発光部の照射方向が前記撮影方向に対して所定の角度以上であるかを検出する検出手段３２２と、前記検出手段により前記所定の角度以上であると検出された場合、前記主発光部の本発光に合わせて前記撮影方向に発光を行う補助発光部３２５とを有する。【選択図】図１
2010134091.tif 000002
【特許請求の範囲】
【請求項１】
撮影方向とは異なる方向に照射できる主発光部と、
前記主発光部の照射方向が前記撮影方向に対して所定の角度以上であるかを検出する検出手段と、
前記検出手段により前記所定の角度以上であると検出された場合、前記主発光部の本発光に合わせて前記撮影方向に発光を行う補助発光部とを有することを特徴とするストロボ装置。
【請求項２】
前記撮影方向に対する前記主発光部の照射方向の角度に応じて前記補助発光部の発光量を変更させる補助発光制御手段を有することを特徴とする請求項１に記載のストロボ装置。
【請求項３】
前記補助発光制御手段は、前記撮影方向に対する前記主発光部の照射方向の角度が大きくなるほど前記補助発光部の発光量を大きくすることを特徴とする請求項２に記載のストロボ装置。
【請求項４】
前記補助発光部は、白色発光ダイオードであることを特徴とする請求項１ないし３のいずれか１項に記載のストロボ装置。
【請求項５】
撮影方向とは異なる方向に照射できる主発光部と、
前記主発光部の照射方向が前記撮影方向に対して所定の角度以上であるかを検出する検出手段と、
前記検出手段により前記所定の角度以上であると検出された場合、前記主発光部の本発光に合わせて前記撮影方向に発光を行う補助発光部とを有することを特徴とする撮像装置。
【請求項６】
前記撮影方向に対する前記主発光部の照射方向の角度に応じて前記補助発光部の発光量を変更させる補助発光制御手段を有することを特徴とする請求項５に記載の撮像装置。
【請求項７】
前記補助発光制御手段は、前記撮影方向に対する前記主発光部の照射方向の角度が大きくなるほど前記補助発光部の発光量を大きくすることを特徴とする請求項６に記載の撮像装置。
【請求項８】
画像信号のゲインを切り換えるゲイン切換手段と、
前記ゲイン切換手段により切り換えられたゲインに従い、前記補助発光部の発光量を変更させる補助発光制御手段とを有することを特徴とする請求項５に記載の撮像装置。
【請求項９】
前記補助発光部は白色発光ダイオードであることを特徴とする請求項５ないし８のいずれか１項に記載の撮像装置。
【請求項１０】
撮影方向とは異なる方向に照射できる主発光部を有するストロボ装置と、前記ストロボ装置が装着された撮像装置からなるカメラシステムであって、
前記主発光部の照射方向が前記撮影方向に対して所定の角度以上であるかを検出する検出手段と、
前記検出手段により前記所定の角度以上であると検出された場合、前記主発光部の本発光に合わせて前記撮影方向に発光を行う補助発光部とを有することを特徴とするカメラシステム。
【請求項１１】
前記撮影方向に対する前記主発光部の照射方向の角度に応じて前記補助発光部の発光量を変更させる補助発光制御手段を有することを特徴とする請求項１０に記載のカメラシステム。
【請求項１２】
前記補助発光制御手段は、前記撮影方向に対する前記主発光部の照射方向の角度が大きくなるほど前記補助発光部の発光量を大きくすることを特徴とする請求項１１に記載のカメラシステム。
【請求項１３】
画像信号のゲインを切り換えるゲイン切換手段と、
前記ゲイン切換手段により切り換えられたゲインに従い、前記補助発光部の発光量を変更させる補助発光制御手段とを有することを特徴とする請求項１０に記載のカメラシステム。
【請求項１４】
前記補助発光部は、前記撮像装置の内蔵ストロボであることを特徴とする請求項１０ないし１３のいずれか１項に記載のカメラシステム。
【請求項１５】
前記補助発光部は、白色発光ダイオードであることを特徴とする請求項１０ないし１３のいずれか１項に記載のカメラシステム。
【発明の詳細な説明】
【技術分野】
【０００１】
本発明は、バウンス機能を有するストロボ装置、該ストロボ装置が装着可能な撮像装置およびカメラシステムに関するものである。
【背景技術】
【０００２】
ストロボ装置のバウンス機能を使用して壁や天井に間接的にストロボ照明を当てて人物撮影する撮影手法が知られている。しかし、このような撮影手法の際には、人物の瞳に光が入って表情が生き生きするいわゆるキャッチライト効果が得られず、顔の表情のよい写真を撮影することができなかった。
【０００３】
バウンスを行わない従来のストロボ撮影では、人物の判定を行い、被写体が暗くなく、ストロボ光が必要の無いときにキャッチライト効果が有効かどうかを判定し、有効である場合にストロボ装置を用いてキャッチライト発光する従来例はあった（特許文献１）。
【０００４】
また、バウンスを行わない従来のストロボ撮影において、ストロボモードスイッチが操作される毎に、ストロボ発光モードとして、発光禁止モード、自動発光モード、強制発光モード、スローシンクロモードをスクロール設定可能である。そして、キャッチライトスイッチが操作されると、上記設定したストロボ発光モードよりも優先して、キャッチライト発光モードを設定するといった従来例もあった（特許文献２）。
【特許文献１】特開２００１−０９１９７９号公報
【特許文献２】特開２００２−００６３７２号公報
【発明の開示】
【発明が解決しようとする課題】
【０００５】
しかしながら、上記従来例では、キャッチライトを行う際には、ストロボ本発光（メイン発光）はしないため、以下のような問題を有していた。
【０００６】
図１２に、バウンス機能を有するストロボ装置およびカメラを示す。３００はストロボ装置であり、３５０はストロボ装置３００のバウンス可能な発光部である。照射方向を図１２（ａ）に示す０度の正位置（撮影方向）に対して、約６０度（図１２（ｂ）参照）、７５度（図１２（ｃ）参照）、９０度（図１２（ｄ）参照）などのバウンス角がクリックで決められており、バウンス撮影が出来るようになっているものが多い。
【０００７】
例えば、４５度などバウンス角（角度）が小さい場合には、バウンスしない直接光が被写体に照射され、画面上部のみが直接光で明るくなってしまうため、バウンス角を６０度以上としているのが一般的である。
【０００８】
図１３は、カメラおよび被写体を含むバウンス角６０度の図１３（ａ）と、９０度の図１３（ｂ）のバウンス撮影状態を示している。ストロボ装置からの光は天井に照射されて拡散し、完全拡散面と異なるため、正反射成分の光強度の強い配光で反射される。
【０００９】
このように、バウンス撮影は、壁や天井に反射させて被写体全体に光を照射するため、直接光で照射する時と比べ、ストロボ光の陰影が弱くなり、かつ背景にも光がまわることで自然な写真が撮影できるという利点がある。
【００１０】
その反面、バウンス撮影では人物の瞳に光が入って表情が生き生きするいわゆるキャッチライト効果が得られず、顔の表情のよい写真を撮影することができなかった。
【００１１】
（発明の目的）
本発明の目的は、バウンス機能を使用して人物撮影をする際に、人物の顔の表情のよい写真撮影を行うことのできるストロボ装置、撮像装置およびカメラシステムを提供しようとするものである。
【課題を解決するための手段】
【００１２】
上記目的を達成するために、本発明のストロボ装置は、撮影方向とは異なる方向に照射できる主発光部と、前記主発光部の照射方向が前記撮影方向に対して所定の角度以上であるかを検出する検出手段と、前記検出手段により前記所定の角度以上であると検出された場合、前記主発光部の本発光に合わせて前記撮影方向に発光を行う補助発光部とを有することを特徴とする。
【００１３】
同じく上記目的を達成するために、本発明の撮像装置は、撮影方向とは異なる方向に照射できる主発光部と、前記主発光部の照射方向が前記撮影方向に対して所定の角度以上であるかを検出する検出手段と、前記検出手段により前記所定の角度以上であると検出された場合、前記主発光部の本発光に合わせて前記撮影方向に発光を行う補助発光部とを有することを特徴とする。
【００１４】
同じく上記目的を達成するために、本発明のカメラシステムは、撮影方向とは異なる方向に照射できる主発光部を有するストロボ装置と、前記ストロボ装置が装着された撮像装置からなるカメラシステムであって、前記主発光部の照射方向が前記撮影方向に対して所定の角度以上であるかを検出する検出手段と、前記検出手段により前記所定の角度以上であると検出された場合、前記主発光部の本発光に合わせて前記撮影方向に発光を行う補助発光部とを有することを特徴とする。
【発明の効果】
【００１５】
本発明によれば、バウンス機能を使用して人物撮影をする際に、人物の顔の表情のよい写真撮影を行うことができる。
【発明を実施するための最良の形態】
【００１６】
本発明を実施するための最良の形態は、以下の実施例１ないし３に示す通りである。
【実施例１】
【００１７】
図１は本発明の実施例１に係わる撮像システム（カメラ本体、レンズ、ストロボ装置から成る）を示す構成図である。なお、カメラ本体単独、または、カメラ本体とレンズを、本発明では撮像装置とする。
【００１８】
図１において、１００はカメラ本体、２００はレンズ、３００はストロボ装置（閃光装置）を、それぞれ示している。
【００１９】
まず、カメラ本体１００内の構成について説明する。１０１はカメラ本体１００の各部を制御するマイクロコンピュータＣＣＰＵ（以下、カメラマイコン）であり、以下の各要素を含むマイコン内蔵ワンチップＩＣ回路構成となっている。各要素としては、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等である。そして、カメラシステムの制御をソフトウェアで行えるもので、各種の条件判定を行う。
【００２０】
１０２は赤外カットフィルタやローパスフィルタ等を含むＣＣＤ，ＣＭＯＳ等の撮像素子であり、後述のレンズ群２０２によって撮影時に被写体の像が結像される。１０３はシャッタであり、非撮影時には撮像素子１０２を遮光し、撮影時には開いて撮像素子１０２へ光線を導く。１０４は主ミラー（ハーフミラー）であり、非撮影時にレンズ群２０２より入射する光の一部を反射し、ピント板１０５に結像させる。ピント板１０５は、不図示の光学ファインダ内にてピントを目視で確認させる。
【００２１】
１０６は測光回路で、この回路内の測光センサは被写体の撮影範囲を複数の領域に分割し、それぞれの領域で測光を行っている。測光回路１０６内の測光センサは、後述するペンタプリズム１１４を介してピント板１０５に結像された被写体像を見込んでいる。１０７は焦点検出回路であり、回路内の測距センサは複数点を測距ポイントとして持ち、測光センサの分割された部分に対応した位置に測距ポイントが含まれているよう構成されている。
【００２２】
１０８は撮像素子１０２の出力信号の増幅率（ゲイン）を切り換えるためのゲイン切換回路であり、ゲインの切換は撮影の条件や撮影者の入力等によりカメラマイコン１０１が行う。１０９は増幅された撮像素子１０２からのアナログ信号をデジタル信号に変換するＡ／Ｄ変換器、１１０は撮像素子１０２の増幅された信号入力とＡ／Ｄ変換器１０９の変換タイミングを同期させるためのタイミングジェネレータ（ＴＧ）である。１１１はＡ／Ｄ変換器１０９により、デジタル信号に変換された画像データをパラメータにしたがって画像処理を行うデジタル信号処理回路である。尚、処理画像の記憶のためのメモリ等は省略する。
【００２３】
ＳＣはカメラ本体１００とレンズ２００及びストロボ装置３００とのインタフェースの通信ラインである。例えばカメラマイコン１０１をホストとしてデータの交換やコマンドの伝達を相互に行う。これにより、ストロボ装置３００への発光開始信号や後述するストロボマイコン３１０との通信クロック端子を持ち、カメラマイコン１０１からストロボマイコン３１０間で通信を可能にしている。同様に、通信ラインＳＣは後述するレンズマイコン２０１とのインタフェースであり、レンズマイコン２０１からカメラマイコン１０１にデータを送信する端子を有し、カメラマイコン１０１とレンズマイコン２０１間で通信を可能にしている。
【００２４】
１１２は各種入力部であり、撮像素子１０２のゲインの設定を入力することや、スイッチやボタンなどでカメラの設定などを外部から入力する事が可能である。１１３は各種設定されたモードやその他の撮影情報などを表示する液晶装置や発光素子などからなる表示部である。１１４はペンタプリズムであり、ピント板１０５の被写体像を測光回路１０６内の測光センサ及び不図示の光学ファインダに導く。１１５はサブミラーであり、レンズ群２０２より入射して主ミラー１０４を透過した光線を焦点検出回路１０７の測距センサへ導く。
【００２５】
次に、レンズ２００内の構成と動作について説明する。２０１はレンズ２００の各部の動作を制御するマイクロコンピュータＬＰＵ（以下、レンズマイコン）であり、以下の各要素を含むマイコン内蔵ワンチップＩＣ回路構成となっている。各要素としては、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含む。そして、カメラシステムの制御をソフトウェアで行えるもので、各種の条件判定を行う。
【００２６】
２０２は複数枚で構成されたレンズ群である。２０３はレンズ群２０２の焦点位置合わせ用の光学系を移動させるレンズ駆動部であり、レンズ群２０２の駆動量は、カメラ本体１００内にある焦点検出回路１０７の出力に基づいてカメラマイコン１０１内にて演算される。２０４はレンズ群２０２の駆動時に位置を検出するエンコーダである。算出された上記駆動量はカメラマイコン１０１からレンズマイコン２０１に通信され、エンコーダ２０４の駆動情報により駆動量分だけレンズマイコン２０１がレンズ駆動部２０３を動作させ、レンズ群２０２が合焦位置へ移動させられる。２０５は絞り、２０６は絞り制御回路であり、絞り２０５は絞り制御回路２０６を介してレンズマイコン２０１により制御される。なお、レンズ群２０２の焦点距離は単焦点のものであっても、ズームレンズのように焦点距離は可変であっても構わない。
【００２７】
次に、ストロボ装置３００の構成について説明する。３１０はストロボ装置３００の各部の動作を制御するマイクロコンピュータＦＰＵ（以下、ストロボマイコン）であり、以下の各要素を含むマイコン内蔵ワンチップＩＣ回路構成となっている。各要素としては、例えばＣＰＵ、ＲＯＭ、ＲＡＭ、入出力制御回路（Ｉ／Ｏコントロール回路）、マルチプレクサ、タイマ回路、ＥＥＰＲＯＭ（電気的にデータを消去・書き込みできるＲＯＭ）、Ａ／Ｄコンバータ、Ｄ／Ａコンバータ等を含む。そして、カメラシステムの制御をソフトウェアで行えるもので、各種の条件判定を行う。
【００２８】
３０１はストロボの電源（ＶＢＡＴ）としての電池である。３０２は電池３０１の電圧を数百Ｖに昇圧する昇圧回路であり、図示しないメインコンデンサに発光のためのエネルギーを蓄積させる。メインコンデンサに充電された電圧は図示しない電圧検出回路により分圧され、分圧された電圧はストロボマイコン３１０のＡ／Ｄ変換端子に入力される。３０６はトリガ回路である。３０７は放電管（閃光放電管）であり、図示しないメインコンデンサに充電されたエネルギーをトリガ回路３０６から印加される数ＫＶのパルス電圧を受けて励起する事で発光し、その光を被写体に照射する。３０８はトリガ回路３０６と共に放電管３０７の発光の開始を制御し、さらに発光の停止を制御する発光制御回路である。
【００２９】
３２３は放電管３０７の発光量を受光するセンサとしてのフォトダイオードであり、直接またはグラスファイバーなどを介して放電管３０７の光を受光する。３０９はフォトダイオード３２３の受光電流を積分する積分回路であり、その出力はコンパレータ３１２の反転入力端子とストロボマイコン３１０のＡ／Ｄコンバータ端子に入力される。コンパレータ３１２の非反転入力はストロボマイコン３１０内のＤ／Ａコンバータ出力端子に接続され、コンパレータ３１２の出力はＡＮＤゲート３１１の入力端子に接続される。ＡＮＤゲート３１１のもう一方の入力はストロボマイコン３１０の発光制御端子と接続され、ＡＮＤゲート３１１の出力は発光制御回路３０８に入力される。
【００３０】
３１５は反射傘である。３１６はストロボ装置３００の照射角を変更するズーム光学系であり、パネル等からなる。ここで、反射傘３１５とズーム光学系３１６の距離を所定の位置に変更することにより、被写体への照射ガイドナンバー及び配光を変化させることが可能となる。３１３はモータ等から成るズーム光学系３１６を移動させるズーム駆動部であり、ズーム光学系３１６の駆動量はストロボマイコン３１０のズーム制御端子より信号を受けて駆動される。このズーム駆動量については、レンズマイコン２０１からカメラマイコン１０１へ焦点距離情報が通信により与えられる。この焦点距離情報はカメラマイコン１０１を介してストロボマイコン３１０に通信され、焦点距離情報に応じてストロボマイコン３１０でズームの駆動量が演算される。
【００３１】
３１４はズーム光学系３１６のズーム位置を検出するエンコーダ等の位置検出部であり、ストロボマイコン３１０の位置信号端子に移動情報を与え、ストロボマイコン３１０の位置信号端子にて必要な駆動量分だけズーム駆動部３１３内のモータを動作させる。３２０は各種入力部（入力インタフェース）であり、例えばストロボ装置３００の側面などにスイッチが設置されており、手動によりズーム情報を入力することも可能である。３２１はストロボ装置３００の各状態を表示する表示部である。
【００３２】
３２２はスイッチなどで構成される、バウンス状態を検出するバウンス検出回路である。３２４は後述の補助発光部であるキャッチライト用ＬＥＤ３２５の光量を制御するＬＥＤ制御回路であり、例えばストロボマイコン３１０の信号により、あらかじめ設定されたＬＥＤの定電流の切り換えを行い、ＬＥＤの発光量を変える。３２５は補助発光部であるキャッチライト用のＬＥＤであり、例えば白色の高輝度ＬＥＤなどの発光素子をＬＥＤ制御回路３２４の指示により正面照射（撮影方向への照射）する構成となっている（以下、白色ＬＥＤ（白色発光ダイオード）とする）。３５０はストロボ装置３００のバウンスが可能な発光部である。
【００３３】
次に、カメラマイコン１０１の具体的な動作について、図２、図３のフローチャートにしたがって説明する。不図示の電源スイッチがオンされてカメラ１００のカメラマイコン１０１が動作可能となると、カメラマイコン１０１は、図２のステップＳ１から所定の動作を開始する。
【００３４】
まず、ステップＳ１では、カメラマイコン１０１は、自身のメモリやポートの初期化を行う。また、入力部１１２より入力されたスイッチの状態や予め設定された入力情報を読み込み、シャッタスピードの決め方や、絞りの決め方等様々な撮影モードの設定を行う。次のステップＳ２では、図示しないシャッタボタンの半押しでＯＮするスイッチＳＷ１の状態を判定し、ＯＦＦのときはこのステップを繰り返し、ＯＮのときはステップＳ３へ進む。
【００３５】
ステップＳ３では、カメラマイコン１０１は、レンズ２００内のレンズマイコン２０１と通信ラインＳＣを介して通信を行う。そして、レンズ２００の焦点距離情報（以下、レンズの焦点距離情報）や測距、測光に必要な光学情報を取得する。そして、次のステップＳ４にて、カメラ１００にストロボ装置３００が装着されているかどうかをチェックする。カメラ１００にストロボ装置３００が装着されているならばステップＳ５へ進み、未装着ならばステップＳ７へ進む。
【００３６】
ステップＳ５へ進むと、カメラマイコン１０１は、ストロボマイコン３１０と通信ラインＳＣを介して通信を行い、上記ステップＳ３にて取得したレンズの焦点距離情報をストロボマイコン３１０に出力する。これにより、ストロボマイコン３１０は受信した焦点距離情報に基づいてモータ駆動回路３１３を駆動してエンコーダ３１４で位置を検出し、ストロボの照射角を制御する。
【００３７】
次のステップＳ６では、カメラマイコン１０１は、ストロボマイコン３１０と通信ラインＳＣを介して通信を行い、ストロボマイコン３１０自身のメモリ内に格納されているストロボ装置３００のバウンス情報を出力するように指示を出する。ストロボマイコン３１０はカメラマイコン１０１へバウンス情報を出力する。このバウンス情報データは、ストロボマイコン３１０がバウンス状態であるか否かをバウンス検出回路３２２の検出結果により検出する。そして、バウンス状態であればバウンスフラグ（Ｆ＿Ｂｏｕｎｃｅ）に１を立て、バウンス状態で無ければ０として図示しないＲＡＭに記憶しているものである。さらに、後述のバウンス角の情報についてもカメラマイコン１０１にバウンス情報を入力する。
【００３８】
次のステップＳ７では、カメラマイコン１０１は、上記ステップＳ１にて設定されたカメラの撮影モードのうち、カメラが自動焦点検出動作を行うモード（ＡＦモード）であるか、そうでないモード（ＭＦモード）であるかを判定する。判定の結果、ＡＦモードであればステップＳ８へ進み、ＭＦモードであれば直ちにステップＳ１０へ進む。
【００３９】
ステップＳ８では、カメラマイコン１０１は、焦点検出回路１０７を駆動することにより周知の位相差検出法による焦点検出動作を行う。また、このステップＳ８では、複数の測距点からどのポイントに合わせるか（測距ポイント）は前述の入力部１１２への入力に基づいて決定される。あるいは、カメラの撮影モードに応じて決定されたり、近点優先を基本の考え方とした周知の自動選択アルゴリズムなどで決定されたりする。
【００４０】
次のステップＳ９では、カメラマイコン１０１は、上記ステップＳ８で決定された測距ポイントをカメラマイコン１０１内の図示しないＲＡＭ（ランダムアクセスメモリ）に記憶させる。さらに、このステップＳ９では、焦点検出回路１０７の情報に基づきレンズの駆動量を演算する。カメラマイコン１０１はレンズ２００内のレンズマイコン２０１と通信ラインＳＣを介して通信を行う。上記演算結果に基づきレンズマイコン２０１はレンズ駆動回路２０３を制御してレンズ群２０２を合焦位置に駆動し、ステップＳ１０へ進む。
【００４１】
次のステップＳ１０では、カメラマイコン１０１は、一例として、ここでは画面上の６つのエリアに分割された測光センサにて、被写体輝度値を測光回路１０６より得る。その輝度値は、
ＥＶｂ（ｉ）    （ｉ＝０〜５）
として、ＲＡＭに記憶させる。
【００４２】
次のステップＳ１１では、カメラマイコン１０１は、入力部１１２より入力されたゲイン設定の処理をゲイン切換回路１０８により行う。例えばＩＳＯ感度設定である。また、ステップＳ１１では、カメラマイコン１０１はストロボマイコン３１０と通信ラインＳＣを介して通信を行い、上記ステップＳ１１にて取得したゲイン設定情報をストロボマイコン３１０に出力する。次のステップＳ１２では、複数のエリアの被写体輝度値ＥＶｂから、周知のアルゴリズムにより露出値（ＥＶｓ）を決定する。
【００４３】
次のステップＳ１３では、カメラマイコン１０１は、ストロボマイコン３１０が充電完了信号を出力しているかどうかをチェックする。ここで、ストロボマイコン３１０が充電完了信号を出力しているならばステップＳ１４へ進み、出力していなければステップＳ１５へ進む。なお、このステップＳ１３におけるストロボマイコン３１０が充電完了信号を出力しているかどうかの判定結果は、後のステップで用いるので記憶しておく。
【００４４】
ステップＳ１４へ進むと、カメラマイコン１０１は、ストロボ撮影を行うために適したシャッタ速度（Ｔｖ）と絞り値（Ａｖ）とを上記ステップＳ１０にて得られた測光出力をもとに決定する。また、ステップＳ１５へ進んだ場合、カメラマイコン１０１は、自然光撮影を行うために適したシャッタ速度（Ｔｖ）と絞り値（Ａｖ）とを上記ステップＳ１０にて得られた測光出力をもとに決定する。上記ステップＳ１４又はステップＳ１５の処理を実行すると、いずれの場合もステップＳ１６へ進む。
【００４５】
次のステップＳ１６では、カメラマイコン１０１は、ストロボマイコン３１０と通信ラインＳＣを介して通信を行い、その他のストロボ装置３００に関する情報をストロボマイコン３１０に出力する。続くステップＳ１７では、図示しない撮影開始のスイッチであるスイッチＳＷ２がＯＮであるか否かを判定し、ＯＦＦであればステップＳ１からステップＳ１６までの動作を繰り返す。一方、スイッチＳＷ２がＯＮであれば、図３に示すレリーズ動作へ進む。
【００４６】
以下のレリーズ後の動作について、図３のフローチャートにしたがって説明する。
【００４７】
図３のステップＳ１８では、カメラマイコン１０１は、ストロボ装置３００でのプリ発光の直前に被写体輝度を測光回路１０６により得る（外光輝度測光）。６分割された測光センサの各輝度値は、
ＥＶａ（ｉ）    （ｉ＝０〜５）
として、図示しないＲＡＭに記憶させる。
【００４８】
次のステップＳ１９では、カメラマイコン１０１は、ストロボマイコン３１０に対して通信ラインＳＣからプリ発光の命令を行う。ストロボマイコン３１０はこの命令に従って、発光制御回路３０８、トリガ回路３０６を制御して所定時間所定光量のフラットな発光を行い、被写体に照射するプリ発光動作を行う。
【００４９】
次のステップＳ２０では、カメラマイコン１０１は、プリ発光時の被写体輝度を測光回路１０６により得る。ここでは、その輝度値は６つの測光エリアに分割された領域に応じて、
ＥＶｆ（ｉ）    （ｉ＝０〜５）
として、ＲＡＭに記憶させる。
【００５０】
次のステップＳ２１で、カメラマイコン１０１は、露光動作に先立って主ミラー１０４をアップさせ、撮影光路内から退去させる。続くステップＳ２２では、次式
ＥＶｄｆ（ｉ）←ＬＮ２  （２＾ＥＶｆ（ｉ）−２＾ＥＶａ（ｉ））（ｉ＝０〜５）
のように、上記ステップＳ２０のプリ発光持続時の被写体輝度値ＥＶｆから上記ステップＳ１８のプリ発光直前の被写体輝度値ＥＶａを伸張した後に差分を取り、プリ発光の反射光成分のみの輝度値ＥＶｄｆ（ｉ）を抽出する。抽出は６つの測光エリア毎に行われる。
【００５１】
次のステップＳ２３では、カメラマイコン１０１は、ストロボ装置３００よりプリ発光のガイドナンバー（Ｑｐｒｅ）データを得る。ここで、プリ発光のガイドナンバー（Ｑｐｒｅ）は、図４に一例を示すように、メインコンデンサの発光直前の充電電圧やズーム位置により変化する。ストロボマイコン３１０がレンズの焦点距離情報によりズームされ、この時のズーム位置に対応したガイドナンバーや図示しないメインコンデンサの充電電圧などから補正することによりプリ発光量（Ｑｐｒｅ）が求められる。
【００５２】
次のステップＳ２４では、カメラマイコン１０１は、以下の処理を行う。測距ポイント（Ｆｏｃｕｓ．ｐ）、焦点距離（ｆ）、プリ発光量（Ｑｐｒｅ）およびバウンスフラグ（Ｆ＿Ｂｂｏｕｎｃｅ）等から、ストロボ光量を分割された６つの測光エリアのうちどのエリアの被写体に対して適正にもって行くべきかを選出する。選出されたエリアをＰ（０〜５のうちのどれか）として、ＲＡＭ内に記憶させる。
【００５３】
上記のようにステップＳ２４では、カメラマイコン１０１は、本発光量を演算する。露出値（ＥＶｓ）と被写体輝度（ＥＶｂ）と感度（ゲイン）とプリ発光反射光分のみの輝度値ＥＶｄｆ（ｐ）とから、設定または選出されたエリア（Ｐ）の被写体について、プリ発光量に対して適正となる本発光量の相対比（ｒ）を以下の式により求める。
【００５４】
ｒ←ＬＮ２  （２＾ＥＶｓ  −２＾ＥＶｂ（ｐ））−ＥＶｄｆ（ｐ）
ここで、露出値（ＥＶｓ）から被写体輝度（ＥＶｂ）の伸張したものの差分をとっているのは、ストロボ光を照射したときの露出が、外光分にストロボ光を加えて適正となるように制御するためである。
【００５５】
次のステップＳ２５では、カメラマイコン１０１は、次式
ｒ←ｒ＋ＴＶ−ｔ＿ｐｒｅ＋ｃ
により新たな相対比ｒを演算する。つまり、シャッタスピード（ＴＶ）と、プリ発光の発光時間（ｔ＿ｐｒｅ）と、撮影者により入力部１１２により予め設定された補正係数（ｃ）とを用いて相対比（ｒ）を補正し、新たな相対比ｒを演算する。ここで、シャッタスピード（ＴＶ）とプリ発光の発光時間（ｔ＿ｐｒｅ）を用いて補正するのは、ストロボ回路内で、プリ発光の測光積分値（ＩＮＴｐ）と本発光の測光積分値（ＩＮＴｍ）とを正しく比較するためである。
【００５６】
次のステップＳ２６では、カメラマイコン１０１は、通信ラインＳＣを介してストロボマイコン３１０へ本発光量を決定するためのプリ発光量の相対値（ｒ）をストロボ装置３００に送信する。続くステップＳ２７では、決められた露出値（ＥＶｓ）に基づく絞り値（ＡＶ）になるようにレンズマイコン２０１に指令を出すとともに、決められたシャッタスピード値（ＴＶ）になるように図示しないシャッタ制御回路を介してシャッタ１０３を制御する。
【００５７】
次のステップＳ２８では、カメラマイコン１０１は、通信ラインＳＣを介してシャッタ１０３の全開に同期してストロボマイコン３１０に本発光の発光信号を与える。ストロボマイコン３１０は、カメラから送られてきた相対値（ｒ）に基づいて適正な発光量になるように本発光制御を行う。
【００５８】
こうして一連の露光動作が終了すると、次のステップＳ２９にて、カメラマイコン１０１は、撮影光路より退去させていた主ミラー１０４をダウンして再び撮影光路内に斜設させる。そして、次のステップＳ３０にて、撮像素子１０２の画素データをゲイン切換回路１０８で設定されたゲインで増幅した信号をＡ／Ｄ変換器１０９でデジタル信号として変換する。変換された画素データはこのステップＳ３０でホワイトバランスなど所定の信号処理を信号処理回路１１１で行う。そして、次のステップＳ３１にて、処理された画像データを図示しないメモリに記憶して撮影のルーチンを終了する。
【００５９】
次に、ストロボ装置３００内のストロボマイコン３１０での具体的な動作（ストロボ制御動作）について、図５のフローチャートにしたがって説明する。不図示の電源スイッチがオンされてストロボマイコン３１０が動作可能となると、該ストロボマイコン３１０はステップＳ１０１より所定の動作を開始する。
【００６０】
まず、ステップＳ１０１では、ストロボマイコン３１０は、自身のメモリやポートの初期化を行う。また、入力部３２０より入力されたスイッチの状態や予め設定された入力情報を読み込み、ストロボ撮影モードや発光量等の設定を行う。カメラマイコン１０１よりストロボマイコン３１０と通信ラインＳＣを介して通信があったときは、ストロボ情報をストロボマイコン３１０に出力する。また、この情報はストロボマイコン３１０内の図示しないＲＡＭ（ランダムアクセスメモリ）に記憶させる。
【００６１】
次のステップＳ１０２では、ストロボマイコン３１０は、昇圧回路３０２を動作開始させてストロボ発光の準備を行う。続くステップＳ１０３では、カメラマイコン１０１から通信ラインＳＣを介して得られるレンズの焦点距離情報をチェックする。そして、カメラマイコン１０１から送信されたレンズの焦点距離情報を自身のメモリ内に記憶（格納）する。また、これ以前にレンズの焦点距離情報を自身のメモリ内に記憶していたならば、記憶内容を更新する。
【００６２】
次のステップＳ１０４では、ストロボマイコン３１０は、自身のメモリ内に記憶されたレンズの焦点距離情報を表示部３２１に表示する。続くステップＳ１０５では、ストロボ光の照射角が上記ステップＳ１０４にて選定された照射角のポジションになるようにエンコーダ３１４を介してストロボマイコン３１０の位置信号端子に移動情報を与える。そして、ストロボマイコン３１０の位置信号端子にて必要な駆動量分だけズーム駆動部３１３内のモータを動作させ、エンコ−ダ３１４の位置信号により所定の位置へ動作させる。
【００６３】
次のステップＳ１０６では、ストロボマイコン３１０は、ストロボ装置３００のバウンス角の検出を行う。このデータは、ストロボマイコン３１０がバウンス検出回路３２２の検出結果より得た角度情報である。そして、後述する（Ｄ１，Ｄ２，Ｄ３）の３ビットデータとして図示しないＲＡＭ（Ａｎｇｌｅ＿Ｂｏｕｎｃｅ）に記憶している。
【００６４】
ここで、図６を用いて、バウンス検出回路３２２内のバウンススイッチの構成について説明する。
【００６５】
バウンススイッチは、図６（ａ）に示すように、スイッチ４１１〜４１３とプルアップ抵抗４１４，４１５，４１６により構成され、プルアップ抵抗４１４，４１５，４１６が電源３０１（ＶＢＡＴ）に接続されている。電源３０１は不図示のレギュレータやＤＣ／ＤＣコンバータで昇圧された電源であっても良い。
【００６６】
バウンススイッチをより詳しく示したのが、図６（ｂ−１）および（ｂ−２）である。４０１，４０２，４０３はバウンスヘッド部３５０（図１参照）に固定されたスイッチパターンであり、接地されている。４０５，４０６，４０７はスイッチ接片であり、これらが図６（ａ）に示すスイッチ４１１〜４１３に対応する。なお、電源３０１及びプルアップ抵抗４１１〜４１３は省略している。
【００６７】
Ｄ１，Ｄ２，Ｄ３はデータラインであり、ストロボマイコン３１０に入力されている。ここではこのデータも（Ｄ１、Ｄ２、Ｄ３）として示すものとする。
【００６８】
例えば、図１２（ａ）に相当する図６（ｂ−１）では正位置であり、バウンス角データは（Ｄ１、Ｄ２、Ｄ３）＝（０、０、０）の状態にある。また、図１２（ｂ）に示した様にヘッド部３５０をバウンスさせると、図６（ｂ−２）のようにスイッチ接片４０５〜４０７が矢印方向に移動する。この時、バウンス角データは（Ｄ１、Ｄ２、Ｄ３）＝（０、０、１）の状態に変化する。
【００６９】
このようにバウンス角に応じて、図６（ｃ）に示すように、Ｄ１〜Ｄ３のデータが変化する。なお、実際はスイッチ接片がヘッド部３５０に固定され、スイッチパターンが回転するのだが、ここでの説明ではスイッチ接片が回転するように説明を行っている。
【００７０】
次に、バウンス状態を検出して補助発光部を点灯動作させるための図５のステップＳ１０７以降について説明する。
【００７１】
図５のステップＳ１０７では、ストロボマイコン３１０は、バウンス角を示すデータが（Ｄ１，Ｄ２，Ｄ３）＝（０、０、０）であるか否かを判定し、そうであればバウンス角０であるとしてステップＳ１１４へ進む。この状態は、バウンス状態ではなく正面を向いている状態のため、補助発光部であるキャッチライト用の白色ＬＥＤ３２５の発光準備はしない。それ以外のバウンス撮影状態であればステップＳ１０８へ進む。
【００７２】
ステップＳ１０８へ進むと、ストロボマイコン３１０は、バウンス角が６０度であることを示すデータ（Ｄ１，Ｄ２，Ｄ３）＝（０、０、１）であるか否かを判定する。そして、そうであればステップＳ１１１へ進み、補助発光部であるキャッチライト用の白色ＬＥＤ３２５を自動的に点灯するように設定する。また、このバウンス角の光量を決める設定（ＬＥＤ＿ＭＯＤＥ１）を行う。
【００７３】
ここで、図７により、補助発光部であるキャッチライト用の白色ＬＥＤ３２５とこの白色ＬＥＤ３２５の光量を制御するＬＥＤ制御回路３２４の詳細な説明を行う。
【００７４】
ＬＥＤ制御回路３２４は以下の構成であり、公知の定電流回路である。６００はＮＰＮトランジスタであり、コレクタが白色ＬＥＤ３２５のカソードに接続され、ベースが後述の抵抗６０１、エミッタは後述の抵抗６０３にそれぞれ接続される。６０２はオペアンプであり、非反転入力はストロボマイコン３１０内のＤ／Ａコンバータのリファレンス出力に接続され、反転入力は後述の抵抗６０３の一端に接続され、抵抗６０３の端子電圧を検出する。オペアンプ６０２の出力は抵抗６０１を介してＮＰＮトランジスタ６００のベースに接続される。
【００７５】
６０３は抵抗であり、一端をＮＰＮトランジスタ６００のエミッタとオペアンプ６０２の非反転入力に接続され、他端はストロボの電源（ＶＢＡＴ）３０１の負極に接続される。なお、白色ＬＥＤ３２５のアノードにはストロボ装置３００の電源３０１（ＶＢＡＴ）の正極が接続されている。
【００７６】
次に、白色ＬＥＤ３２５の点灯動作について説明する。
【００７７】
ストロボマイコン３１０内のＤ／Ａコンバータのリファレンス出力を０Ｖから設定された電圧ＶＲＥＦ（ｎ）を出力する（図５のステップＳ１１１のＬＥＤ＿ＭＯＤＥ１の場合は、ＶＲＥＦ（１））。このＶＲＥＦ（ｎ）に対して
ｉＬＥＤ（ｎ）＝ＶＲＥＦ（ｎ）／Ｒ０
で示される定電流ｉＬＥＤ（ｎ）が白色ＬＥＤ３２５に供給される。ここで、Ｒ０は抵抗６０３の抵抗値である。この電流は前述のようにストロボマイコン３１０内のＤ／Ａコンバータのリファレンス出力電圧ＶＲＥＦ（ｎ）のレベルに応じて変えられる。
【００７８】
このように、ストロボマイコン３１０は、リファレンス出力電圧ＶＲＥＦ（ｎ）によりあらかじめ設定されたＬＥＤの定電流の切り換えを行い、白色ＬＥＤ３２５の発光量を変える。
【００７９】
図５に戻り、ステップＳ１１１では、ストロボマイコン３１０は、白色ＬＥＤ３２５が発光するタイミング時にＬＥＤの発光量をＶＲＥＦ（１）の設定をするように記憶しておく。
【００８０】
上記ステップＳ１０８にてバウンス角が６０度であることを示すデータ（Ｄ１，Ｄ２，Ｄ３）＝（０、０、１）でないと判定した場合は、ストロボマイコン３１０は、ステップＳ１０９へ進む。そして、このステップＳ１０９では、バウンス角が７５度であることを示すデータ（Ｄ１，Ｄ２，Ｄ３）＝（０、１、１）であるかの判定を行い、そうであればステップＳ１１２へ進む。
【００８１】
ステップＳ１１２では、ストロボマイコン３１０は、補助発光部であるキャッチライト用の白色ＬＥＤ３２５を自動的に点灯するように設定する。また、このバウンス角の光量を決める設定を行う。前述の通り、白色ＬＥＤ３２５が発光するタイミング時にＬＥＤの発光量をＶＲＥＦ（２）の設定をするように記憶しておく。
【００８２】
上記ステップＳ１０９にてバウンス角が７５度であることを示すデータ（Ｄ１，Ｄ２，Ｄ３）＝（０、１、１）でないと判定した場合は、ストロボマイコン３１０は、ステップＳ１１０へ進む。そして、このステップＳ１１０では、バウンス角が９０度であることを示すデータ（Ｄ１，Ｄ２，Ｄ３）＝（１、１、１）であるかの判定を行い、そうであればステップＳ１１３へ進み、それ以外であればステップＳ１０６へ戻り、再度バウンス角を検出する。
【００８３】
ステップＳ１１３へ進むと、ストロボマイコン３１０は、補助発光部であるキャッチライト用の白色ＬＥＤ３２５を自動的に点灯するように設定する。また、このバウンス角の光量を決める設定を行う。前述の通り、白色ＬＥＤ３２５が発光するタイミング時にＬＥＤの発光量をＶＲＥＦ（３）の設定をするように記憶しておく。
【００８４】
上記ステップＳ１１１，Ｓ１１２もしくはステップＳ１１３の動作を終了した後はステップＳ１１４へ進む。
【００８５】
ステップＳ１１４では、ストロボマイコン３１０は、バウンス角の状態を記憶し、通信ラインＳＣを介してカメラマイコン１０１にバウンス角情報であるバウンスの有無と角度を出力する。そして、次のステップＳ１１５にて、昇圧回路３０２が昇圧した電圧が放電管３０７の発光に必要な電圧レベルにまで達したか（充電完了か）どうかを判定し、放電管３０７の発光に必要な電圧レベルにまで達していると判定した場合にはステップＳ１１６へ進む。また、昇圧回路３０２が昇圧した電圧が放電管３０７の発光に必要な電圧レベルにまで達していないと判定した場合にはステップＳ１２２へ進む。
【００８６】
ステップＳ１２２では、ストロボマイコン３１０は、充電未完信号を出力してストロボ発光準備ができていないことを通信ラインＳＣを介してカメラマイコン１０１に知らせる。そして、充電信号を昇圧回路３０２に送り、その後はステップＳ１０２へ戻り、上記した動作を繰り返す。
【００８７】
また、放電管３０７の発光に必要な電圧レベルにまで達しているとしてステップＳ１１６へ進むと、ストロボマイコン３１０は、充電完了信号を出力して、ストロボ発光準備ができたことを通信ラインＳＣを介してカメラマイコン１０１に知らせる。そして、次のステップＳ１１７にて、カメラマイコン１０１より発光開始用信号が出力されているかどうかをチェックし、発光開始用信号が出力されていなければステップＳ１０２に戻り、上記したステップを繰り返す。一方、発光開始用信号が出力されているならばステップＳ１１８へ進む。
【００８８】
ステップＳ１１８へ進むと、ストロボマイコン３１０は、発光制御端子よりＡＮＤゲート３１１を介して発光制御回路３０８にトリガ信号を与えてストロボの発光を開始させる。このとき、ステップＳ１１１，Ｓ１１２，Ｓ１１３で設定されたＬＥＤ光量で白色ＬＥＤ３２５を発光させる。但し、図３のステップＳ１９のプリ発光時には白色ＬＥＤ３２５は発光せず、ステップＳ２８の本発光の時のみ、白色ＬＥＤ３２５を発光するように予めストロボマイコン１０１が通信ラインＳＣを介してストロボマイコン３１０に情報を出力する。
【００８９】
次のステップＳ１１９では、ストロボマイコン３１０は、ストロボマイコン１０１より通信ラインＳＣを介して本発光量演算値で決められた光量に相当する発光量に到達したか否かを調べる。詳しくは、直接またはグラスファイバーなどを介して放電管３０７の光をフォトダイオード３２３で受光することで行う。詳しくは、積分回路３０９でフォトダイオード３２３の受光電流を積分し、その出力がコンパレータ３１２の反転入力端子とストロボマイコン３１０のＡ／Ｄコンバータ端子に入力される。コンパレータ３１２の非反転入力はストロボマイコン３１０内のＤ／Ａコンバータ出力端子に接続され、本発光量演算値で決められた光量に相当する発光量に相当するＤ／Ａコンバータ値が設定されている。ステップＳ１１９でこのレベルまで達していないと判定した場合は発光を継続し、達することにより発光を停止させるためにステップＳ１２０へ進む。
【００９０】
ステップＳ１２０では、ストロボマイコン３１０は、ＡＮＤゲート３１１より発光停止信号を出す。これにより、発光制御回路３０８により発光が停止される。このとき、白色ＬＥＤ３２５の発光も停止する。この後はステップＳ１０２へ戻り、上記したステップを繰り返す。
【００９１】
ここで、図１２、図１３で示されるバウンス状態の撮影方向に対する照射方向の角度（バウンス角）と電流設定の説明を行う。
【００９２】
図１３（ａ），（ｂ）では、既に説明したように、バウンス角６０度と９０度のバウンス撮影状態を示している。ストロボ装置からの光は天井に照射されて拡散し、バウンス角６０度である図１３（ａ）では、被写体の背景に光がまわり、バウンス角９０度の図１３（ｂ）では、被写体周辺にしか光がまわらない。
【００９３】
よって、被写体周辺にしか光がまわらないバウンス角９０度である図１３（ｂ）時には、被写体のトップライト光が強いため、白色ＬＥＤ３２５の光量を大きく設定し、被写体のキャッチライトの光量を大きくする。一方、被写体の背景に光がまわるバウンス角６０度である図１３（ａ）時には、白色ＬＥＤ３２５の光量をより小さく設定する。
【００９４】
具体的には、図１２（ｂ）に示すバウンス角６０度の際は、リファレンス電圧ＶＲＥＦ（１）を設定することで、白色ＬＥＤ３２５の定電流がｉＬＥＤ（１）なるように白色ＬＥＤ３２５の光量が決まる。また、図１２（ｃ）に示すバウンス角７５度の際は、リファレンス電圧ＶＲＥＦ（２）を設定することで、白色ＬＥＤ３２５の定電流がｉＬＥＤ（２）なるように白色ＬＥＤ３２５の光量が決まる。また、図１２（ｄ）に示すバウンス角９０度の際は、リファレンス電圧ＶＲＥＦ（３）を設定することで、白色ＬＥＤ３２５の定電流がｉＬＥＤ（３）なるように白色ＬＥＤ３２５の光量が決まる。
このときのリファレンス電圧の設定を
ＶＲＥＦ（１）＜ＶＲＥＦ（２）＜ＶＲＥＦ（３）
とし、定電流を
ｉＬＥＤ（１）＜ｉＬＥＤ（２）＜ｉＬＥＤ（３）
とする。なお、バウンス角は、図１２の角度に限定されることは無く、選択される角度を４種類以上にしてもよい。
【００９５】
上記の実施例１に係わるストロボ装置３００は、バウンス可能な放電管３０７（閃光放電管）を具備するストロボ発光部３５０（主発光部）と、正面発光を行う補助発光部である白色ＬＥＤ３２５とを有する。さらに、バウンス状態を検出するバウンス検出回路３２２（検出手段）を有する。そして、バウンス状態で検出されたら補助発光部である白色ＬＥＤ３２５は放電管３０７の発光（本発光）と同時に正面発光を行う。また、カメラ本体１００は、バウンス検出回路３２２から送られる検出データに応じて、白色ＬＥＤ３２５を制御するストロボマイコン３１０（図５のステップＳ１１１〜Ｓ１１３：補助発光制御手段）を有する。
【００９６】
詳しくは、ストロボマイコン３１０は、バウンス状態が予め設定されたバウンス角度以上の状態であれば、補助発光部である白色ＬＥＤ３２５を放電管３５０の発光と同時に、点灯させるようにしている。さらに詳しくは、予めバウンス状態と補助発光部である白色ＬＥＤ３２５の発光量の関係を保持しており、設定されたバウンス状態に応じて、放電管３５０の発光に伴い、白色ＬＥＤ３２５の発光量を変更させるようにしている。
【００９７】
上記のように、バウンス機能を使用して人物撮影をする際、バウンス状態に応じて補助発光部の発光状態を変化させて人物を照射することで、人物の顔の表情のよい写真撮影を行うことが可能となる。
【実施例２】
【００９８】
図８は本発明の実施例２に係わる撮像システム（カメラ本体１００、レンズ２００、ストロボ装置３００から成る）を示す構成図であり、図１と同じ機能を有する部分は同一符号を付し、その説明は省略する。
【００９９】
上記実施例１では、ストロボ装置３００側に補助発光部であるキャッチライト用の白色ＬＥＤ３２５およびＬＥＤ制御回路３２４を備えた構成にしていた。
【０１００】
これに対し、本発明の実施例２では、図８に示すように、カメラ本体１００側に、例えば白色の高輝度ＬＥＤであるキャッチライト用の白色ＬＥＤ１１７、および、補助発光部である白色ＬＥＤ１１７の光量を制御するＬＥＤ制御回路１１６を備えた構成にしている。
【０１０１】
上記構成において、カメラマイコン１０１からの信号により、ストロボ装置１００のＬＥＤ制御回路３２４と同様、カメラマイコン１０１のＤ／Ａコンバータのリファレンス電圧ＶＲＥＦを与える。そして、あらかじめ設定された白色ＬＥＤ１１７の定電流の切り換えを行い、その発光量を変える。
【０１０２】
動作については、図２および図３のフローチャートにおいて、異なる部分のみ説明する。
【０１０３】
図２のステップＳ６では、カメラマイコン１０１は、ストロボマイコン３１０と通信ラインＳＣを介して通信を行う。そして、ストロボマイコン３１０自身のメモリ内に格納されているストロボのバウンス情報をカメラマイコン１０１に出力するように指示を出し、カメラマイコン１０１にバウンス情報を入力する。そして、この情報に基づき、前述の図５のステップＳ１０６からステップＳ１１３と同じ動作を行う。
【０１０４】
図３のステップＳ２８では、カメラマイコン１０１は、シャッタ１０３の全開に同期して通信ラインＳＣを介してストロボマイコン３１０に本発光の発光信号を与える。すると、ストロボマイコン３１０は、カメラマイコン１０１から送られてきた相対値ｒに基づいて適正な発光量になるように本発光制御を行う。このとき、図５のステップＳ１１１，Ｓ１１２もしくはステップＳ１１３で設定された光量で白色ＬＥＤ１１７を発光させる。
【０１０５】
上記の実施例２に係わる撮像システムは、バウンス可能な放電管３０７（閃光放電管）を具備するストロボ発光部３５０（主発光部）と、バウンス状態を検出するバウンス検出回路３２２（検出手段）とを具備するストロボ装置３００を有する。さらに、ストロボ装置３００が装着可能なカメラ本体１００（撮像装置）は、正面発光を行う補助発光部である白色ＬＥＤ１１７と、白色ＬＥＤ１１７を制御するカメラマイコン１１０（補助発光制御手段）とを有する。詳しくは、カメラマイコン１１０は、前記バウンス検出回路３２２からの信号によりバウンス状態であることを検出したら、放電管３０７の発光と同時に白色ＬＥＤ１１７を発光させる。
【０１０６】
よって、実施例１と同様、バウンス機能を使用して人物撮影をする際、バウンス状態に応じて補助発光部の発光状態を変化させて人物を照射することで、人物の顔の表情のよい写真撮影を行うことが可能となる。
【実施例３】
【０１０７】
図９は本発明の実施例に係わる撮像システム（カメラ本体１００、レンズ２００、ストロボ装置３００から成る）を示す構成図であり、図１と同じ機能を有する部分は同一符号を付し、その説明は省略する。
【０１０８】
本実施例３ではカメラ２００側に、補助発光部であるキャッチライト用の発光部として、内蔵のストロボ装置を備えた構成となっている。
【０１０９】
図９において、１１８は不図示の電池の電圧を数百Ｖに昇圧する昇圧回路であり、図示しないメインコンデンサに発光のためのエネルギーを蓄積させる。メインコンデンサに充電された電圧は図示しない電圧検出回路により分圧され、分圧された電圧はカメラマイコン１０１のＡ／Ｄ変換端子に入力される。１１９はトリガ回路である。１２１は放電管（閃光放電管）であり、図示しないメインコンデンサに充電されたエネルギーをトリガ回路１１９から印加される数ＫＶのパルス電圧を受け励起する事で発光し、その光を被写体に照射する。１２０はトリガ回路１１９と共に放電管１２１の発光の開始を制御し、さらに発光の停止を制御する発光制御回路である。１２２は反射傘、１２３はパネルである。
【０１１０】
尚、上記の昇圧回路１１８からパネル１２３までは、ストロボ装置３００に具備されている昇圧回路３０２、トリガ回路３０６、放電管３０７、発光制御回路３０８、反射傘３１５およびズーム光学系３１６と同じ構成である。
【０１１１】
上記構成におけるカメラマイコン１０１の動作について、図２のフローチャートにおけるステップＳ６での動作について、図１０のフローチャートを用いて詳細に説明する。なお、その他の動作は図２および図３と同様であるので、その説明は省略する。
【０１１２】
図２のステップＳ６では、カメラマイコン１０１は、ストロボマイコン３１０と通信ラインＳＣを介して通信を行う。そして、ストロボマイコン３１０自身のメモリ内に格納されているストロボ装置３００のバウンス情報をカメラマイコン１０１に出力するように指示を出し、バウンス情報を入力する。
【０１１３】
ストロボマイコン１０１は、上記バウンス情報に基づき、図１０のステップＳ６０１からステップＳ６０８までの動作を行う。
【０１１４】
ステップＳ６０１では、カメラマイコン１０１は、図５のステップＳ１０６と同様、ストロボ装置３００のバウンス角の検出データを確認する。そして、次のステップＳ６０２にて、データが（Ｄ１、Ｄ２、Ｄ３）＝（０、０、０）であるか否かを判定する。そうであれば、この状態はバウンス状態ではなく、正面を向いている状態のために補助発光部であるキャッチライト用の発光部１２１の発光準備はせず、このフローチャートを終了して、図２のステップＳ７以降へと進む。
【０１１５】
データが（Ｄ１、Ｄ２、Ｄ３）＝（０、０、０）でないと判定した場合は、カメラマイコン１０１は、ステップＳ６０３へ進み、ここではバウンス角が６０度（Ｄ１，Ｄ２，Ｄ３）＝（０、０、１）であるか否かを判定し、そうであればステップＳ６０６へ進む。そして、ステップＳ６０６では、補助発光部であるキャッチライト用の放電管１２１を自動的に発光するように設定する。また、このときのバウンス角の光量（固定光量）を決める設定を行う（ＦＬ＿ＭＯＤＥ１）。詳しくは、図３のステップＳ２８での本発光のタイミング時に放電管１２１の発光量をＦＬ１の設定をするように記憶しておく。そして、このフローチャートを終了して、図２のステップＳ７以降へと進む。
【０１１６】
また、データが（Ｄ１、Ｄ２、Ｄ３）＝（０、０、１）でないと判定した場合は、カメラマイコン１０１は、ステップＳ６０４へ進み、バウンス角が７５度（Ｄ１，Ｄ２，Ｄ３）＝（０、１、１）であるか否かを判定し、そうであればステップＳ６０７へ進む。そして、ステップＳ６０７では、補助発光部であるキャッチライト用の放電管１２１を自動的に発光するように設定する。また、このときのバウンス角の光量（固定光量）を決める設定を行う（ＦＬ＿ＭＯＤＥ２）。詳しくは、図３のステップＳ２８での本発光のタイミング時に放電管１２１の発光量をＦＬ２の設定をするように記憶しておく。そして、このフローチャートを終了して、図２のステップＳ７以降へと進む。
【０１１７】
また、データが（Ｄ１、Ｄ２、Ｄ３）＝（０、１、１）でないと判定した場合は、カメラマイコン１０１は、ステップＳ６０５へ進み、バウンス角が９０度（Ｄ１，Ｄ２，Ｄ３）＝（１、１、１）であるか否かを判定し、そうであればステップＳ６０８へ進む。そして、ステップＳ６０８では、補助発光部であるキャッチライト用の放電管１２１を自動的に発光するように設定する。また、このときのバウンス角の光量（固定光量）を決める設定を行う（ＦＬ＿ＭＯＤＥ３）。詳しくは、図３のステップＳ２８での本発光のタイミング時に放電管１２１の発光量をＦＬ３の設定をするように記憶しておく。そして、このフローチャートを終了して、図２のステップＳ７以降へと進む。また、データが（Ｄ１、Ｄ２、Ｄ３）＝（１、１、１）でないと判定した場合はステップＳ６０１へ戻り、再度バウンス角の検出を行う。
【０１１８】
図３のステップＳ２８では、カメラマイコン１０１は、シャッタ１０３の全開に同期して通信ＳＣラインを介してストロボマイコン３１０に本発光の発光信号を与える。すると、ストロボマイコン３１０は、カメラ１００から送られてきた相対値ｒに基づいて適正な発光量になるように本発光制御を行う。
【０１１９】
また、このときにカメラマイコン１０１は、トリガ回路１１９を介して放電管１２１を発光させ、上記ステップＳ６０６、Ｓ６０７もしくはステップＳ６０８で設定された光量で発光制御回路１２０を介して発光を停止させる。
【０１２０】
上記の実施例３に係わる撮像システムは、バウンス可能な放電管３０７（閃光放電管）を具備するストロボ発光部３５０（主発光部）と、バウンス状態を検出するバウンス検出回路３２２（検出手段）とを具備するストロボ装置３００を有する。さらに、ストロボ装置３００が装着可能なカメラ本体１００（撮像装置）は、正面発光を行う補助発光部である放電管１２１と、放電管１２１を制御するカメラマイコン１１０（補助発光制御手段）とを有する。詳しくは、カメラマイコン１１０は、前記バウンス検出回路３２２からの信号によりバウンス状態であることを検出したら、放電管３０７の発光と同時に放電管１２１を発光させる。
【０１２１】
よって、実施例１および２と同様、バウンス機能を使用して人物撮影をする際、バウンス状態に応じて補助発光部の発光状態を変化させて人物を照射することで、人物の顔の表情のよい写真撮影を行うことが可能となる。
【実施例４】
【０１２２】
次に、本発明の実施例４に係わる撮像システムについて説明する。なお、撮像システムの構成は、図１と同様であるものとする。
【０１２３】
本実施例４において、上記実施例１と異なるのは、以下の点である。カメラ本体１００側に具備されている撮像素子１０２のゲインを変更するためのゲイン切換回路１０８でのゲインが入力部１１２で設定変更されたとする。すると、この設定変更に伴い、補助発光部３２５であるキャッチライト用の白色ＬＥＤ３２５の発光量を変える構成にしている。
【０１２４】
図１１は本発明の実施例４に係わるストロボマイコン３１０での動作を示す図であり、図５と異なるのは、ステップＳ１０５とステップＳ１０６の間に、ステップＳ１２１を追加した点である。
【０１２５】
ステップＳ１２１では、ストロボマイコン３１０は、カメラ本体１００の入力部１１２により設定されたゲイン設定値（撮像素子でなく、フィルムの場合はフィルム感度（ＩＳＯ）に相当）をカメラマイコン１０１より通信ラインＳＣラインを介して入力する。この入力結果により、ステップＳ１１１、Ｓ１１２もしくはステップＳ１１３の発光量設定値のＶＲＥＦ（１）、ＶＲＥＦ（２）、ＶＲＥＦ（３）のレベルを、ゲイン感度が上がれば下げ、ゲイン感度が下がれば上げる設定を行う。
【０１２６】
上記実施例４によれば、撮像素子１０２の画像信号のゲインを切り換えるゲイン切換回路１０８（ゲイン切換手段）を有する。そして、バウンス状態が検出されたら、前記ゲイン切換回路１０８により切り換えられたゲインに従い、補助発光部である白色ＬＥＤ３２５の発光量を変更させるようにしている。なお、図８や図９に示した構成の場合には、白色ＬＥＤ１１７や放電管１２１の発光量を変更させるようにしても良い。
【０１２７】
よって、この実施例４においても、バウンス機能を使用して人物撮影をする際、バウンス状態に応じて補助発光部の発光状態を変化させて人物を照射することで、人物の顔の表情のよい写真撮影を行うことが可能となる。
【０１２８】
なお、上述した図１、図８、図９のようなカメラにバウンス機能を有するストロボ装置を装着する構成ではなく、カメラがバウンス機能を有する内蔵ストロボとキャッチライト用の白色ＬＥＤをともに有する構成であってもよい。
【図面の簡単な説明】
【０１２９】
【図１】本発明の実施例１に係わる撮像システムを示す構成図である。
【図２】本発明の実施例１係わるストロボマイコンの動作を示すフローチャートである。
【図３】図２の動作の続きを示すフローチャートである。
【図４】本発明の実施例１に係わるメインコンデンサの発光直前の充電電圧、ズーム位置により変化するプリ発光量の補正量を示す図である。
【図５】本発明の実施例１に係わるストロボマイコンでの動作を示すフローチャートである。
【図６】本発明の実施例１に係わるバウンス角の検出に関する説明図である。
【図７】本発明の実施例１に係わるＬＥＤ制御回路の構成を示すブロック図である。
【図８】本発明の実施例２に係わる撮像システムを示す構成図である。
【図９】本発明の実施例３に係わる撮像システムを示す構成図である。
【図１０】本発明の実施例３に係わるバウンス撮影時の動作を示すフローチャートである。
【図１１】本発明の実施例４に係わるストロボマイコンでの動作を示すフローチャートである。
【図１２】本発明の各実施例および従来に係わるバウンス角について説明するための図である。
【図１３】本発明の各実施例および従来に係わるバウンス撮影時について説明するための図である。
【符号の説明】
【０１３０】
１００  カメラ
１０１          カメラマイコン
１０２          撮像素子
１０８          ゲイン切換回路
１１６，３２４  ＬＥＤ制御回路
１１７，３２５  ＬＥＤ
１１８，３０２  昇圧回路
１２１，３０７  放電管
１２２，３１５  反射傘
２００          レンズ
２０１          レンズマイコン
３００          ストロボ装置
３１０          ストロボマイコン
３２０          入力部
３２２          バウンス検出回路
３５０          ストロボ発光部
【図１】
2010134091.tif 000003
【図２】
2010134091.tif 000004
【図３】
2010134091.tif 000005
【図４】
2010134091.tif 000006
【図５】
2010134091.tif 000007
【図６】
2010134091.tif 000008
【図７】
2010134091.tif 000009
【図８】
2010134091.tif 000010
【図９】
2010134091.tif 000011
【図１０】
2010134091.tif 000012
【図１１】
2010134091.tif 000013
【図１２】
2010134091.tif 000014
【図１３】
2010134091.tif 000015